(57)【特許請求の範囲】
【請求項１】
弁体と、活動部材と、弁体内で該活動部材を駆動する電磁組立部品及びスプリングリーフと、該弁体が隔離板で上下に分離される２つのバルブチェンバーである上バルブチェンバーおよび下バルブチェンバーと、該隔離板に設ける２つのバルブチェンバーを連通する穴と、活動部材に設ける該隔離板上の穴を塞ぎ止める弁プラグと、を具備して、前記弁体には上弁体と下弁体が設けられて、前記上弁体と下弁体との間に超音波溶接によって一体連結されることによって形成されており、前記電磁組立部品は鉄ケースを有し、
前記下弁体は、底部より下に、前記鉄ケースが固定される枠を含み、
前記上バルブチェンバーは吸気口および排気口を有することを特徴とする構造が改善された電磁線形弁。
【請求項２】
前記上弁体には下方向に向ける突起柱が設けられて、前記下弁体の対応する位置には該突起柱に結合する穴が設けられて、該突起柱の底部と前記穴の底部との間に前記超音波溶接によって一体連結されることによって形成されていることを特徴とする請求項１に記載の構造が改善された電磁線形弁。
【請求項３】
前記上弁体と前記下弁体との対応面に互いに結合する段階面が設けられることによって形成されていることを特徴とする請求項２に記載の構造が改善された電磁線形弁。
【請求項４】
前記電磁組立部品は、コイルと、コイルに連接する制御電気回路基板と、コアと、マグネットと、前記鉄ケースと、を有し、該鉄ケースの開口が上方向に向けて設けられて且つその底部が前記下弁体底部の上方に固定設置されて、該マグネットが前記鉄ケースの底部の上方に固定設置されて、該コアがマグネットの上方に固定設置されて、前記弁プラグが前記活動部材の上端に固定設置されて且つ前記隔離板の穴に向いて、前記スプリングリーフが活動部材と弁体との間に連結されて、前記活動部材に該コアの外に沿う支え周り壁が設けられて、前記コイルが該支え周り壁の外に廻って設置されることによって形成されていることを特徴とする請求項１に記載の構造が改善された電磁線形弁。
【請求項５】
前記制御電気回路基板が前記鉄ケースの底部に設けられて、該下弁体の側面に線槽が設けられて、前記制御電気回路基板とコイルとの間に続く連接線が線槽の中に設置されることによって形成されていることを特徴とする請求項４に記載の構造が改善された電磁線形弁。
【請求項６】
前記下弁体の辺枠の中心から下方向に伸びるように前記枠が設けられて、前記枠の底板の中心に固定穴が設けられて、底板の中心の一側に突起部が設けられることによって形成されていることを特徴とする請求項１に記載の構造が改善された電磁線形弁。
【請求項７】
前記鉄ケースの開口が上方向に向けて設けられることによって形成されていることを特徴とする請求項４または請求項６に記載の構造が改善された電磁線形弁。
【請求項８】
前記制御電気回路基板が半円形になって且つ鉄ケースの底面と互いに結合して、該制御電気回路基板に下弁体の底板上の突起部と互いに結合する定位凹槽が設けられることによって形成されていることを特徴とする請求項４または請求項６に記載の構造が改善された電磁線形弁。
【請求項９】
前記活動部材の下端の軸が順にコアとマグネットを通して且つ枠上の固定穴を挿し込んで定位し、固定穴が上方向に向いて延伸されてセットパイプになり、其のセットパイプの外径が鉄ケースの固定穴の直径に合わせて、其のセットパイプの内径が軸の端部の直径に合わせることによって形成されていることを特徴とする請求項４または請求項６に記載の構造が改善された電磁線形弁。
【発明の詳細な説明】
【技術分野】
【０００１】
本発明は、エアを通断制御する電磁線形弁に関し、即ち構造が改善された電磁線形弁に関する。
【背景技術】
【０００２】
電磁線形弁は、エアパイプ通路でエアを通断制御するのに広く応用してある。其の主な構造に対して、弁体と、活動部材と、電磁組立部品と、スプリングと、を具備し、当弁体が隔離板で上バルブチェンバーおよび下バルブチェンバーの２つのバルブチェンバーに分離され、当隔離板の上に２つのバルブチェンバーを連通する穴が設けられ、上バルブチェンバーに吸気口と排気口が設けられ、活動部材に当隔離板の穴を塞ぎ止める弁プラグが設けられ、電磁組立部品とスプリングが共に動作されることによって活動部材と弁プラグに移動させて、前記穴を塞ぎ止めてまたは前記穴を離れて、当弁プラグに其の２つの状態で切り替えさせる。
【０００３】
前記現状の電磁線形弁は以下の主な欠点がある。第一に、弁体の分離される両部分がボルトで連結されるから、組立が不便で、ボルトの動作で配合誤差または他の部品に損害させるのが易い。第二に、電磁組立部品のコイルの支え装置がないので、コイルを巻くのが難く、構造が堅くない。第三に、電磁組立部品の制御電気回路基板がコイルのそばに設置され、弁体の体積が大きくなる。
【発明の概要】
【発明が解決しようとする課題】
【０００４】
本発明は、上記問題に鑑みてなされたものであり、その目的は、現状の電磁線形弁の弁体の両部分を連結する構造が非合理的であり、コイルを組立てる構造が非合理的であり、制御電気回路基板の設置位置が非合理的であることを改善することができる電磁線形弁を提供することである。
【課題を解決するための手段】
【０００５】
上記課題を解決するために成された本発明に係る構造が改善された電磁線形弁は、弁体と、活動部材と、弁体内で当活動部材を駆動する電磁組立部品及びスプリングリーフと、当弁体が隔離板で分離される２つのバルブチェンバーである上バルブチェンバーおよび下バルブチェンバーと、当隔離板に設ける２つのバルブチェンバーを連通する穴と、上バルブチェンバーに設ける吸気口及び排気口と、活動部材に設ける当隔離板の穴を塞ぎ止める弁プラグと、を具備して、前記弁体には上弁体と下弁体が設けられて、前記上弁体と下弁体との間に超音波溶接によって一体連結される。
【０００６】
前記構造が改善された電磁線形弁は、其の上弁体には下方向に向ける突起柱が設けられて、前記下弁体の対応する位置には当突起柱に結合する穴が設けられて、当突起柱の底部と前記穴の底部との間に前記超音波溶接によって一体連結される。
【０００７】
前記上弁体と下弁体との対応面に互いに結合する段階面が設けられる。
【０００８】
前記構造が改善された電磁線形弁は、其の電磁組立部品には、コイルと、コイルに連接する制御電気回路基板と、コアと、マグネットと、鉄ケースと、を有し、当鉄ケースの開口が上方向に向けて設けられて且つその底部が前記下弁体底部の上方に固定設置されて、当マグネットが前記鉄ケースの底面の上方に固定設置されて、当コアがマグネットの上方に固定設置されて、前記弁プラグが前記活動部材の上端に固定設置されて且つ前記隔離板の穴に向いて、前記スプリングリーフが活動部材と弁体との間に連結されて、前記活動部材に当コアの外に沿う支え周り壁が設けられて、前記コイルが当支え周り壁の外に廻って設置される。
【０００９】
前記制御電気回路基板が前記鉄ケースの底部に設けられて、当下弁体の側面に線槽が設けられて、前記制御電気回路基板とコイルとの間に続く連接線が線槽の中に設置される。
【００１０】
前記構造が改善された電磁線形弁を述べたとおりに、現状の電磁線形弁と比べて、本発明では、以下の優れた点がある。第一に、本発明の上弁体と下弁体との間に超音波溶接によって連結されるので、緊密し、堅く、使用寿命がながく、ねじが要らないために組み立の時に他の部品を壊すことが無い。第二に、電磁組立部品のコイルが活動部材の支え周り壁の外に回り設置されて、コイルが前に回り作られる必要がなく、直接に当支え周り壁の外に回りつくって、コイルの構造が更に硬くなる。第三に、制御電気回路基板が鉄ケースの下方に設置され、電磁線形弁の全体構造がぴったりと寄集って、小さくなる。
【図面の簡単な説明】
【００１１】
【図１】本発明の立体構造分解を示す図である。
【図２】本発明の断面構造図である。
【発明を実施するための形態】
【００１２】
次に図面を見ながら、本発明の具体的な実施形態を述べる。
【００１３】
図１と図２のように、本実施形態の電磁線形弁は、弁体１と、活動部材２と、弁体１内で当活動部材２を駆動する電磁組立部品３及びスプリングリーフ４と、を具備する。
【００１４】
当弁体１は、下弁体１１と上弁体１２を有し、当上弁体１２底面の４つの角部に別々下方向に向いて突起伸ばす４つの突起柱１２３が設けられ、下弁体１１の４つの角部の対応位置に当４つの突起柱１２３と結合する穴１１０が設けられ、各突起柱１２３の底部と各対応の穴１１０の底部との間に超音波溶接によって一体連結されて、且つ下弁体１１と上弁体１２との対応連結面が別々互いに結合する段階面が設けられて、それがセットするためのである。
【００１５】
当弁体１が上弁体１２の中に設置する隔離板１３で下バルブチェンバー１０１と上バルブチェンバー１０２に分離され、当隔離板１３に下バルブチェンバー１０１と上バルブチェンバー１０２を連通する穴１３０が設けられ、上バルブチェンバー１０２に吸気口１２１及び排気口１２２が設けられる。
【００１６】
当下弁体１１の辺枠の中心から下方向に伸びる枠１１２が設けられ、枠１１２の底板の中心に固定穴１１３が設けられて、底板の中心の一側に突起部１１４が設けられる。
【００１７】
前記電磁組立部品３は、コイル３３と、コイル３３に連接する制御電気回路基板３３０と、コア３１と、マグネット３２と、鉄ケース３４と、を有す。当制御電気回路基板３３０が前記鉄ケース３４の底部に設けられて、当下弁体１１の側面に線槽１１１が設けられて、前記制御電気回路基板３３０とコイル３３との間に続く連接線が線槽１１１の中に設置される。当制御電気回路基板３３０が半円形になって、鉄ケース３４の底面と互いに結合されて、当制御電気回路基板３３０に下弁体１１の底板上の突起部１１４と互いに結合する定位凹槽３３１が設けられる。
【００１８】
前記鉄ケース３４の開口が上方向に向けて設けられて且つその底部が前記下弁体１１の枠１１２の内に固定設置されて、当マグネット３２が前記鉄ケース３４の底面の上方に固定設置されて、当コア３１がマグネット３２の上方に固定設置されて、前記弁プラグ５が前記活動部材２の上端に固定設置されて且つ前記隔離板１３の穴１３０に向いて、前記スプリングリーフ４が活動部材２と弁体１との間に連結される。前記活動部材２に当コア３１の外に沿う支え周り壁２１が設けられて、前記コイル３３が当支え周り壁２１の外に廻って設置されて、活動部材２の下端の軸２２が順にコア３１とマグネット３２を通して且つ枠１１２上の固定穴１１３を挿し込んで定位される。固定穴１１３が上方向に向いて延伸されてセットパイプ１１５になり、其のセットパイプ１１５の外径が鉄ケース３４の固定穴３４１の直径に合わせて、其のセットパイプ１１５の内径が軸２２の端部の直径に合わせる。
【００１９】
鉄ケース３４が下弁体１１の枠１１２の中に位置されるために、鉄ケース３４の散熱性がよい。
【００２０】
以上に述べたのはただ本発明の具体的な実施の形態である。しかし、本発明の設計構想はこれだけに限らなくて、この構想に基づいて本発明を非実質的に直したならば、本発明の保護範囲を侵すはずである。
【産業上の利用可能性】
【００２１】
本発明の構造が改善された電磁線形弁は、超音波溶接によって上弁体と下弁体が緊密的に堅く連結されて、使用寿命が長くなって、ねじが要らないために組み立の時に他の部品を壊すことがなく、作業時間が短く、コストが下がることができる。
【符号の説明】
【００２２】
１  弁体
１１  下弁体
１２  上弁体
２  活動部材
３  電磁組立部品
３１  コア
３２  マグネット
３３  コイルと
３４  鉄ケース
３３０  制御電気回路基板
４  スプリングリーフ
５  弁プラグ
【図１】
0005621995.tif 000002
【図２】
0005621995.tif 000003